(57)【要約】【課題】後身頃の丈を前身頃の丈よりも長くした、背の丸い人用の上着であって、背の丸みが強調されない上着を提供する。【解決手段】本発明は、後身頃(12)の丈を前身頃(11)の丈よりも長くした、背の丸い人用の上着(1)に関する。後身頃(12)に設けられ、脇繰り(19)の下方から後中心線(16)に向かって斜め下方に延びる紐通し通路(20)と、紐通し通路(20)の中に通された紐(22)を有している。後身頃(12)を紐(22)に沿って引寄せることによって、後身頃(12)の肩甲骨に対応する部分(12e)に縦方向の膨らみ(24)が形成される。【選択図】図２
2014118648.tif 000002
【特許請求の範囲】
【請求項１】
後身頃の丈を前身頃の丈よりも長くした、背の丸い人用の上着であって、
後身頃に設けられ、脇繰りの下方から後中心線に向かって斜め下方に延びる紐通し通路と、
前記紐通し通路の中に通された紐と、を有し、
後身頃を前記紐に沿って引寄せることによって、後身頃の肩甲骨に対応する部分に縦方向の膨らみが形成されることを特徴とする上着。
【請求項２】
前記紐の一方の端部は、後身頃に固定されることを特徴とする、請求項１に記載の上着。
【請求項３】
後身頃は、プリンセスラインを介して縫合された中央部分と脇部分とを有し、前記紐の一方の端部は、前記プリンセスライン上に固定されることを特徴とする、請求項２に記載の上着。
【請求項４】
前記紐通し通路は、前身頃と後身頃を縫合する脇線から前記プリンセスラインまで延びることを特徴とする、請求項３に記載の上着。
【請求項５】
前記紐の他方の端部にストッパが設けられることを特徴とする請求項２〜４の何れか１項に記載の上着。
【請求項６】
後身頃の丈を前身頃の丈よりも長くした、背の丸い人用の上着であって、
後身頃に設けられ、脇繰りの下方から後身頃の肩甲骨に対応する部分に向かって斜め上方延びるダーツを有し、前記ダーツにより、肩甲骨に対応する部分に縦方向の膨らみが形成されることを特徴とする上着。
【請求項７】
後身頃の丈を前身頃の丈よりも長くした、背の丸い人用の上着であって、
後身頃は、ニットにより作られた１枚の生地によって構成され、ある横方向の網目１列と別の横方向の網目１列との間の縦方向の目数について、後中心線における目数が脇線における目数よりも多く、前記ある横方向の網目１列と前記別の横方向の網目１列との間の領域に目数調整箇所が生じることを特徴とする上着。
【請求項８】
前記目数調整箇所は、後身頃の下方に形成されることを特徴とする請求項７に記載の上着。
【発明の詳細な説明】
【技術分野】
【０００１】
本発明は、上着に関し、更に詳細には、背の丸い人用の上着、例えば、高齢者用の上着に関する。
【背景技術】
【０００２】
アパレル業界では、若年の衣服設計が主流であり、脊柱の湾曲の無い体型に合わせた衣服が提供されている。一方、高齢者は、背が丸くなる傾向があるため、若年用の衣服設計が、高齢者の体型特徴に適合しない場合がある。具体的には、高齢者が若年用に設計された上着を着用すると、背が丸く且つうつむき加減になるため、後ろ丈が不足して後身頃の裾が上がり、前身頃の裾が下がってしまう。そのため、着用時の上着の裾が、水平ではなく斜めになる。
【０００３】
高齢者の体型特徴に適合させた衣服設計が、特許文献１に記載されている。特許文献１に記載された上着では、後身頃の丈を前身頃の丈よりも長くし、後身頃と前身頃が縫製される脇線において、後身頃に２つのタックが設けられている。それにより、着用時の上着の裾がほぼ水平になっている。
【先行技術文献】
【特許文献】
【０００４】
【特許文献１】特許第３６３２７０４号公報
【発明の概要】
【発明が解決しようとする課題】
【０００５】
特許文献１に記載された上着は、着用時に裾がほぼ水平になるけれども、後身頃が体型にぴったり沿った状態になるので、着用者の背の丸みが強調されることがあった。すなわち、背の丸みで体の前後の厚みが生じ、後身の立体形状が強調されることがあった。
【０００６】
一方、高齢者は、丸くなった背を丸く見せることは好まず、若々しく装うことを望んでいる。
【０００７】
また、上着がニット製品である場合、通常タックを用いることはないので、後身頃の丈を前身頃の丈よりも長くしたときに、裾を水平にすることが困難であった。
【０００８】
そこで、本発明は、後身頃の丈を前身頃の丈よりも長くした、背の丸い人用の上着であって、背の丸みが強調されない上着を提供することを第１の目的とする。
【０００９】
また、本発明は、後身頃の丈を前身頃の丈よりも長くした、背の丸い人用の上着であって、ニットで形成され、裾を水平にすることができる上着を提供することを第２の目的とする。
【課題を解決するための手段】
【００１０】
本発明者は、高齢者の体型の初期の変化について、背中全体が湾曲するのではなく、脊柱の胸椎上部つまり肩甲骨周辺が湾曲することに着目した。
【００１１】
そこで、上記第１の目的を達成するために、本発明による上着は、後身頃の丈を前身頃の丈よりも長くした、背の丸い人用の上着であって、後身頃に設けられ、脇繰りの下方から後中心線に向かって斜め下方に延びる紐通し通路と、紐通し通路の中に通された紐と、を有し、後身頃を紐に沿って引寄せることによって、後身頃の肩甲骨に対応する部分に縦方向の膨らみが形成されることを特徴としている。
【００１２】
このように構成された上着では、後身頃を紐に沿って引寄せることによって、ひだを形成する。また、紐が脇繰りの下方から後中心線に向かって斜め下方に延びているので、後身頃のうちの紐通し通路よりも下の部分が上方に引上げられる。ひだの形成と後身頃の下方部分の引上げにより、後身頃の肩甲骨に対応する部分に集中的に、縦方向の膨らみが形成される。その結果、後身頃は、肩甲骨に対応する部分において、身体にぴったりと密着せず、ひだに目が誘引され、背の丸みが強調されることが防止される。
【００１３】
また、脇繰りの下方から後中心線に向かって斜め下方に延びている紐通し通路の向きは、背の丸い人が上着を着ると、水平方向に近づく。したがって、後身頃を紐に沿って引き寄せると、ウエスト部分が細くなる。上記膨らみと、ウエスト部分を細くすることにより、上着のシルエットがスマートになり、背の丸みがいっそう分かり難くなる。また、紐による後身頃の引寄せは、タック等を使用する場合よりもおしゃれ感に優れている。また、後身頃を引寄せない状態では、身幅にゆとりが生じ、上着が着易くなる。
【００１４】
上記上着の実施形態において、好ましくは、紐の一方の端部は、後身頃に固定される。更に好ましくは、後身頃は、プリンセスラインを介して縫合された中央部分と脇部分とを有し、紐の一方の端部は、プリンセスライン上に固定される。更に好ましくは、紐通し通路は、前身頃と後身頃を縫合する脇線からプリンセスラインまで延びる。また、好ましくは、紐の他方の端部にストッパが設けられる。
【００１５】
紐の一方の端部が後身頃に固定された実施形態では、後身頃の引寄せが容易になる。また、プリンセスラインを併用することによって、上着のシルエットによって生じるスタイルが更に向上し、紐の取付けが目立たなくなる。また、ストッパを設けることによって、操作性が向上する。
【００１６】
また、上記目的を達成するために、本発明による上着は、後身頃の丈を前身頃の丈よりも長くした、背の丸い人用の上着であって、後身頃に設けられ、脇繰りの下方から後身頃の肩甲骨に対応する部分に向かって斜め上方延びるダーツを有し、ダーツにより、肩甲骨に対応する部分に縦方向の膨らみが形成されることを特徴としている。
【００１７】
このように構成された上着では、脇繰りの下方から肩甲骨に対応する部分に向かって斜め上方延びるダーツによって、後身頃の肩甲骨に対応する部分に集中的に、縦方向の膨らみが形成される。その結果、後身頃は、肩甲骨に対応する部分において、身体にぴったりと密着せず、背の丸みが強調されることが防止される。
【００１８】
また、上記第２の目的を達成するために、本発明による上着は、後身頃の丈を前身頃の丈よりも長くした、背の丸い人用の上着であって、後身頃は、ニットにより作られた１枚の生地によって構成され、ある横方向の網目１列と別の横方向の網目１列との間の縦方向の目数について、後ろ中心線における目数が脇線における目数よりも多く、ある横方向の網目１列と別の横方向の網目１列との間の領域に目数調整箇所が生じることを特徴としている。
【００１９】
ニット製品は、網目を横方向に端から端まで１列形成してから、縦方向に移動し、次の網目を横方向に端から端まで１列形成することを繰返すことによって形成される。後身頃の一部分において、網目を横方向に端の手前から端の手前まで１列形成することを行うと、ある横方向１列と別の横方向１列との間の縦方向の目数について、後中心線における目数が脇線における目数よりも多くなり、また、ある横方向の網目１列と別の横方向の網目１列との間の領域に目数調整箇所が生じる。その結果、見た目に違和感を与えることなしに、後身頃の丈を前身頃の丈よりも長くすることができ、背の丸い人が着用したときの裾を水平にすることができる。
【００２０】
上記上着の実施形態において、好ましくは、目数調整箇所は、後身頃の下方に形成される。
【図面の簡単な説明】
【００２１】
【図１】高齢者の体型変化の初期段階を説明する図である。
【図２】本発明による上着の第１の実施形態のパターンを示す図である。
【図３】本発明による上着の第２の実施形態のパターンを示す図である。
【図４】本発明による上着の第３の実施形態の側面図である。
【図５】図４の一部分の拡大図である。
【図６】本発明による上着の第３の実施形態をニットで形成するときに使用した編み機の指令画面の図である。
【発明を実施するための形態】
【００２２】
図１は、高齢者の体型変化の初期段階を説明する図である。高齢者は、筋力の低下により、脊柱を直立させる機能が弱くなる傾向がある。本発明者は、高齢者の体型変化の初期の段階において、筋力の低下が脊柱の胸椎上部から始まり、その結果、背中全体が湾曲するのではなく、肩甲骨周辺Ａが湾曲することに着目した。なお、二点鎖線は、本発明による上着１の輪郭を示している。
【００２３】
図２は、本発明による背が丸い人用の上着１の第１の実施形態のパターン（生地を裁断するための型紙）を示す図である。上着１のパターン１０は、左右の前身頃１１と、左右の後身頃１２と、前身頃のヨーク１３と、後身頃のヨーク１４を有している。なお、袖部分（図示せず）は、本発明と直接関係しないので、省略している。左右の前身頃１１は各々、パネルライン１５のところで縫合された前中央部分１１ａと前脇部分１１ｂとによって構成されている。左右の後身頃３は、後中心線１６のところで縫合され、左右の後身頃１２の各々は、プリンセスライン１７のところで縫合された後中央部分１２ａと後脇部分１２ｂとによって構成されている。前脇部分１１ｂと後脇部分１２ｂは、脇線１８のところで縫合され、袖部分（図示せず）が縫合される脇繰り１９を有している。
【００２４】
後身頃１２の丈は、前身頃１１の丈よりも長く形成されている。詳細には、図２の二点鎖線は、若年用の上着のパターンを示しており、本実施形態では、後身頃１２の上端１２ｃ及び裾（下端）１２ｄがそれぞれ、若年用パターンよりも上方及び下方に延長されている。また、後身頃１２の裾１２ｄと前身頃１１の裾１１ｄは、湾曲して滑らかに接続され、それにより、背の丸い着用者が上着を着ると、裾全体が略水平になるように構成されている。
【００２５】
後身頃１２の後脇部分１２ｂの裏面には、紐通し通路２０を形成するための生地２０ａが縫合されている。紐通し通路２０は、脇繰り１９の下方から後中心線１６に向かって斜め下方に延びている。本実施形態では、脇線１８からプリンセスライン１７まで延びている。
【００２６】
また紐２２が、紐通し通路２０の中に通されている。紐の一方の端部２２ａは、プリンセスラインのところで後身頃１２に固定（縫合）されている。紐の他方の端部２２ｂは、紐通し通路２０の外に延びている。紐の他方の端部２２ｂには、ストッパ２３が設けられている。ストッパ２３は、紐通し通路２０の中を通すことができない大きさを有し、紐２２に沿って移動可能であり、紐２２の任意の位置に取付け可能である。
【００２７】
ストッパ２３を紐２２に沿って後中心線１６に向って移動させ、後身頃１２を紐２２に沿って引寄せることによって、ひだを形成し、それに伴い、後身頃１２の肩甲骨に対応する部分１２ｅ（図３参照）に縦方向（上下方向）の膨らみ２４（図１参照）が形成される。かかる膨らみ２４が形成されるように、紐通し通路２０の垂直二等分線Ｌ１は、肩甲骨に対応する部分１２ｅと同じ高さレベルで後中心線１６と交差することが好ましい。例えば、紐通し通路２０は、脇線１８の上端からの距離Ｄ１＝５〜１５ｃｍのところから始まり、後中心線１６に対して鋭角α＝４５〜８０°である。
【００２８】
このように構成された上着では、後身頃１２の丈は、前身頃１１の丈よりも長く形成されているので、背の丸い人が上着を着ると、裾１１ｄ、１２ｄが略水平になる。
【００２９】
また、上述したように、後身頃１２を紐２２に沿って引寄せることによって、ひだを形成する。また、紐２２が脇繰り１９の下方から後中心線１６に向かって斜め下方に延びているので、後身頃１２のうちの紐通し通路２０よりも下の部分が上方に引上げられる。ひだの形成と後身頃１２の下方部分の引上げにより、後身頃１２の肩甲骨に対応する部分１２ｅに集中的に、縦方向の膨らみ２４が形成される。その結果、後身頃１２は、肩甲骨に対応する部分１２ｅにおいて、身体にぴったりと密着せず、背の丸みが強調されることが防止される（図１参照）。
【００３０】
また、脇繰り１９の下方から後中心線１６に向かって斜め下方に延びている紐通し通路２０の向きは、背の丸い人が上着を着ると、水平方向に近づく。したがって、後身頃１２を紐２２に沿って引き寄せると、ウエスト部分が細くなる。上記膨らみ２４と、ウエスト部分を細くすることにより、上着１のシルエットがスマートになり、背の丸みがいっそう分かり難くなる。また、紐２２による後身頃１２の引寄せは、タック等を使用する場合よりもおしゃれ感に優れている。また、後身頃１２を引寄せない状態では、身幅にゆとりが出て、上着１が着易くなる。
【００３１】
また、紐２２の一方の端部２２ａが後身頃１２に固定され、紐２２の他方の端部２２ｂにストッパ２３が設けられているので、後身頃１２の引寄せが容易である。また、プリンセスライン１７が設けられているので、上着１のシルエットがスマートになる。また、紐通し通路２０が脇線１８からプリンセスライン１７まで延びているので、紐通し通路２０は目立たず、タックやダーツを使用する場合よりもおしゃれ感に優れている。
【００３２】
図３は、本発明による背が丸い人用の上着１の第２の実施形態のパターン（生地を裁断するための型紙）を示す図である。上着１のパターン３０は、後身頃３２を有している。なお、前身頃及び袖部分（図示せず）は、省略している。後身頃３２は、後中心線１６に対して対称に形成されている。前身頃（図示せず）と後身頃３２は、脇線１８のところで縫合され、袖部分（図示せず）が縫合される脇繰り１９を有している。
【００３３】
第１の実施形態と同様、後身頃３２の丈は、前身頃（図示せず）の丈よりも長く形成されている。
【００３４】
後身頃３２は、脇繰り１９の下方から肩甲骨に対応する部分１２ｅに向かって斜め上方延びるダーツ３３を有している。ダーツ３３によって、後身頃１２の肩甲骨に対応する部分１２ｅに縦方向（上下方向）の膨らみ２４（図１参照）が形成される。かかるふくらみが形成されるように、ダーツ３３を定める下のラインＬ２は、後中心線に対して鋭角β＝３０〜６０°であることが好ましい。また、ダーツ３３の横方向長さＤ２は、各後身頃３２の横方向長さＤ３の２０〜５０％であることが好ましい。
【００３５】
後身頃３２の脇線１８は、ダーツ３３よりも上の脇線上部１８ａと、ダーツ３３よりも下の脇線下部１８ｂを有している。脇線上部１８ａは、脇線下部１８ｂの延長線Ｌ３上からずれている。
【００３６】
このように構成された上着では、脇繰り１９の下方から後身頃３２の肩甲骨に対応する部分１２ｅに向かって斜め上方延びるダーツによって、後身頃３２の肩甲骨に対応する部分１２ｅに集中的に、縦方向の膨らみ２４（図１参照）が形成される。その結果、後身頃３２は、肩甲骨に対応する部分１２ｅにおいて、身体にぴったりと密着せず、背の丸みが強調されることが防止される。
【００３７】
第２の実施形態による上着１は、ダーツ３３を縫い目を目立たなくするために、柄の生地を採用することが好ましい。
【００３８】
図４は、本発明による背が丸い人用の上着の第３の実施形態の側面図であり、図５は、図４の一部分の拡大図である。上着４０は、ニットにより形成され、前身頃４１と、後身頃４２と、袖部分４３を有している。後身頃４２は、後中心線４４に対して対称に形成され、ニットにより作られた１枚の生地によって構成されている。後身頃４２と前身頃４１とは、脇線４５のところで縫合されている。
【００３９】
後身頃４２の丈は、前身頃４１の丈よりも長く形成されている。このことを、図６を参照して、具体的に説明する。図６は、上着４０を形成するときに使用した編み機の指令画面の図である。図６に示されている指令画面は、後身頃４２の右端の下方の一部分に対応している。後身頃４２は、基本的には、網目を横方向に端から端まで１列形成してから、縦方向に移動し、次の網目を横方向に端から端まで１列形成することを繰返すことによって形成される（Ｆ１の部分参照）。後身頃４２の一部分において、網目を横方向の端の手前から端の手前まで１列形成することを行う。本実施形態では、端からその手前までの長さとして、長さＳ１（Ｆ２の部分参照）と、Ｓ１よりも長い長さＳ２（Ｆ３の部分参照）を採用している。部分Ｆ１、Ｆ２、Ｆ３を繰返し設けることによって、後中心線４４から脇線４５にかけての丈を、目数調整箇所４６ａ、４６ｂをあまり目立たせることなしに変化させることができる。その結果、後身頃４２の丈が前身頃４１の丈よりも長く且つニットで作られた上着４０において、後身頃４２の裾を前身頃４１の裾にきわめて自然に接続させることができる。
【００４０】
また、目数調整箇所４６ａ、４６ｂを、後身頃４２の肩甲骨に対応する部分にではなく後身頃４２の下方に設けることによって、周りの人の視線を肩甲骨に向けることを回避し、肩甲骨の部分の丸みが強調されることを軽減することができる。
【００４１】
以上、本発明の実施形態を説明したが、本発明は、以上の実施形態に限定されることなく、特許請求の範囲に記載された発明の範囲内で種々の変更が可能であり、かかる変更も本発明の技術的範囲に含まれることはいうまでもない。
【００４２】
上記第１の実施形態において、後身頃１２は、後中心線１６のところで後中央部分１２ａと後脇部分１２ｂとが縫合されていたが、それらが後中心線１６のところで分割されずに一体に形成されていてもよい。また、ヨーク１４が設けられなくてもよい。
【００４３】
また、上記第１の実施形態において、紐２２は、プリンセスライン１７のところに固定されていたが、後身頃１２を紐通し通路２０に沿って引寄せることができれば、後身頃１２の別のところに固定されていてもよいし、後身頃１２に固定されなくてもよい。紐２２が後身頃１２に固定されない場合には、紐２２が紐通し通路２０から抜けないように、紐２２に結び目が作られたり、紐２２にストッパ２３が取付けられたりするのがよい。
【００４４】
上記第１の実施形態では、紐通し通路２０は、プリンセスライン１７から脇線１８まで延びていたが、後身頃１２の肩甲骨に対応する部分１２ｅに縦方向の膨らみ２４を形成することができれば、紐通し通路２０の位置は任意に選択可能である。
【符号の説明】
【００４５】
１  上着
１１  前身頃
１２、３２  後身頃
１２ａ  後中央部分
１２ｂ  後脇部分
１２ｅ  肩甲骨に対応する部分
１６  後中心線
１７  プリンセスライン
１８  脇線
１８ａ  脇線上部
１８ｂ  脇線下部
１９  脇繰り
２０  紐通し通路
２２  紐
２２ａ  紐の一方の端部
２３  ストッパ
２４  膨らみ
３３  ダーツ
４０  上着
４２  後身頃
４４  後中心線
４５  脇線
４６ａ、４６ｂ  目数調整箇所
【図１】
2014118648.tif 000003
【図２】
2014118648.tif 000004
【図３】
2014118648.tif 000005
【図４】
2014118648.tif 000006
【図５】
2014118648.tif 000007
【図６】
2014118648.tif 000008